(57)【特許請求の範囲】
【請求項１】
Ｓ（Ｓは２以上の自然数）ライン同時選択駆動法により液晶パネルを駆動する液晶駆動方法であって、
１フレーム期間を分割した第１のフィールド期間〜第Ｓのフィールド期間のうち第１のフィールド期間〜第Ｓ−１のフィールド期間において、ｎ（ｎは自然数）ライン毎に極性反転制御を行うｎライン反転駆動により前記液晶パネルを駆動する第１の駆動ステップと、
第Ｓのフィールド期間において少なくとも１水平走査期間分のダミー期間を追加してｎライン反転駆動により前記液晶パネルを駆動する第２の駆動ステップとを含み、
（前記液晶パネルのデューティーの逆数×Ａ）／（ｎ／Ｓ）（Ａは、式が割り切れるようになる最小の自然数）を偶数とし、極性反転周期の間に前記液晶パネルの各コモン電極に印加した正極性パルス数と負極性パルス数とを等しくすることを特徴とする液晶駆動方法。
【請求項２】
請求項１において、
前記第２の駆動ステップでは、
前記ダミー期間において前記液晶パネルのコモン電極に非選択電圧を供給し、前記液晶パネルのセグメント電極に所与のダミー電圧を供給することを特徴とする液晶駆動方法。
【請求項３】
請求項１又は２において、
前記第２の駆動ステップでは、１水平走査期間分の前記ダミー期間を追加することを特徴とする液晶駆動方法。
【請求項４】
請求項１乃至３のいずれかにおいて、
極性反転させるライン数ｎが可変に構成されることを特徴とする液晶駆動方法。
【請求項５】
液晶パネルを駆動する液晶駆動装置であって、
Ｓ（Ｓは２以上の自然数）ライン同時選択駆動法により前記液晶パネルを駆動する駆動部と、
前記駆動部により前記液晶パネルに供給される駆動信号の極性反転制御を行う極性反転制御部とを含み、
前記駆動部は、
１フレーム期間を分割した第１のフィールド期間〜第Ｓのフィールド期間のうち、第１のフィールド期間〜第Ｓ−１のフィールド期間において、ｎ（ｎは自然数）ライン毎に極性反転制御を行うｎライン反転駆動を行い、第Ｓのフィールド期間において少なくとも１水平走査期間分のダミー期間を追加して前記ｎライン反転駆動を行い、
（前記液晶パネルのデューティーの逆数×Ａ）／（ｎ／Ｓ）（Ａは、式が割り切れるようになる最小の自然数）を偶数とし、極性反転周期の間に前記液晶パネルの各コモン電極に印加した正極性パルス数と負極性パルス数とを等しくすることを特徴とする液晶駆動装置。
【請求項６】
請求項５において、
前記駆動部は、
前記ダミー期間において前記液晶パネルのコモン電極に非選択電圧を供給し、前記液晶パネルのセグメント電極に所与のダミー電圧を供給することを特徴とする液晶駆動装置。
【請求項７】
請求項５又は６において、
前記駆動部は、１水平走査期間分の前記ダミー期間を追加して前記ｎライン反転駆動を行うことを特徴とする液晶駆動装置。
【請求項８】
請求項５乃至７のいずれかにおいて、
極性反転させるライン数に対応した設定情報が設定されるｎライン反転数レジスターを含み、
前記駆動部は、
前記ｎライン反転数レジスターに設定された設定情報に対応したライン数毎に前記ｎライン反転駆動を行うことを特徴とする液晶駆動装置。
【請求項９】
請求項５乃至８のいずれか記載の液晶駆動装置と、
前記液晶駆動装置によって駆動される液晶パネルとを含むことを特徴とする液晶装置。
【請求項１０】
請求項５乃至８のいずれか記載の液晶駆動装置を含むことを特徴とする電子機器。
【発明の詳細な説明】
【技術分野】
【０００１】
本発明は、液晶駆動方法、液晶駆動装置、液晶装置、及び電子機器等に関し、特に複数ラインを同時選択する同時選択駆動法により液晶パネルを駆動する液晶駆動方法等に関する。
【背景技術】
【０００２】
従来、この種の液晶パネルは、複数のコモン電極と、複数のコモン電極に交差するように設けられた複数のセグメント電極とを備えており、各コモン電極と各セグメント電極との交差位置に対応して画素が形成される。液晶パネルを駆動する液晶駆動装置は、液晶パネルの複数のコモン電極及び複数のセグメント電極を所定の液晶駆動方法に従って駆動することで、液晶パネルに画像を表示する。液晶パネルを駆動する場合、画素に同一極性の電圧を印加し続けると焼き付けが発生するため、一般的に、液晶駆動装置は、画素に印加される電圧の極性を周期的に反転して交流化する極性反転駆動を行う。
【０００３】
この極性反転駆動として１フレーム毎に極性反転するフレーム反転駆動が知られている。ところが、液晶パネルのセグメント電極に応じて出力周波数が異なってクロストーク等の原因となることがあり、より短い時間間隔で極性反転することを目的として、ｎライン毎に極性反転を行うｎライン反転駆動が行われる場合がある。
【０００４】
このような極性反転駆動に関する技術については、例えば特許文献１に開示されている。この特許文献１には、４ライン同時選択駆動法において、１フレーム期間を分割した複数のフィールド期間各々に１水平走査期間分をダミー期間を追加して、サブグループ数を奇数にすることで、極性反転駆動の効果を得るようにした技術が開示されている。
【先行技術文献】
【特許文献】
【０００５】
【特許文献１】特開平８−１６０９１９号公報
【発明の概要】
【発明が解決しようとする課題】
【０００６】
いわゆる線順次駆動では、デューティーｄｔと極性反転するライン数との関係は、表示ライン数をＬ、デューティーｄｔ＝１／Ｌとすると、Ｌが奇数であり、Ｌとの公約数がないように極性反転ライン数は素数であることが望ましい。同時選択駆動法についても、例えば特許文献１に、サブグループ数が奇数であることが望ましいことが開示されている。
【０００７】
しかしながら、４ライン同時選択駆動法では、１フレーム期間が４フィールド期間に分割され、フィールド期間毎に走査されるため、１フレーム期間で４回の走査が行われる。従って、特許文献１に開示されているように４ライン同時選択駆動法でｎライン反転駆動を行う場合、１フレーム期間におけるサブグループ数が偶数になってしまう。そのため、バイアス電位のずれがあると実効電圧の差が生じ、濃淡の縞模様が見えてしまい、画質が劣化する場合があるという問題がある。
【０００８】
本発明は、以上のような技術的課題に鑑みてなされたものである。本発明の幾つかの態様によれば、複数ラインを同時選択する同時選択駆動法でｎライン反転駆動により液晶パネルを駆動する場合にバイアス電位のずれがあっても画質の劣化を抑える液晶駆動方法、液晶駆動装置、液晶装置、及び電子機器等を提供することができる。
【課題を解決するための手段】
【０００９】
（１）本発明の第１の態様は、Ｓ（Ｓは２以上の自然数）ライン同時選択駆動法により液晶パネルを駆動する液晶駆動方法が、１フレーム期間を分割した第１のフィールド期間〜第Ｓのフィールド期間のうち第１のフィールド期間〜第Ｌ（１≦Ｌ≦Ｓ−１、Ｌは自然数）のフィールド期間において、ｎ（ｎは自然数）ライン毎に極性反転制御を行うｎライン反転駆動により前記液晶パネルを駆動する第１の駆動ステップと、前記第１のフィールド期間〜前記第Ｓのフィールド期間のうち第（Ｌ＋１）のフィールド期間〜第Ｓのフィールド期間において少なくとも１水平走査期間分のダミー期間を追加してｎライン反転駆動により前記液晶パネルを駆動する第２の駆動ステップとを含む。
【００１０】
本態様においては、１フレーム期間を分割した第１のフィールド期間〜第Ｓのフィールド期間のうち、第１のフィールド期間〜第Ｌのフィールド期間において、ｎライン毎に極性反転制御を行うｎライン反転駆動を行う。そして、第（Ｌ＋１）のフィールド期間〜第Ｓのフィールド期間において少なくとも１水平走査期間分のダミー期間を追加してｎライン反転駆動を行う。これにより、極性反転周期の間で、正極性パルス数と負極正パルス数とを等しくすることができ、バイアス電位にずれがあったとしても、コモン電極に応じて実効電圧の差が生じることなく、液晶パネルにおいて濃淡の縞模様の発生を抑えることができるようになる。
【００１１】
（２）本発明の第２の態様に係る液晶駆動方法は、第１の態様において、前記第２の駆動ステップでは、前記ダミー期間において前記液晶パネルのコモン電極に非選択電圧を供給し、前記液晶パネルのセグメント電極に所与のダミー電圧を供給する。
【００１２】
本態様によれば、上記の効果に加えて、ダミー期間の追加により表示に影響を与えることなく、上記の効果を得ることができるようになる。
【００１３】
（３）本発明の第３の態様に係る液晶駆動方法は、第１の態様又は第２の態様において、Ｌは、（Ｓ−１）であり、前記第２の駆動ステップでは、１水平走査期間分の前記ダミー期間を追加する。
【００１４】
本態様によれば、上記の効果に加えて、ダミー期間の追加に起因するコントラストの低下を最小限に抑えることができるようになる。
【００１５】
（４）本発明の第４の態様は、Ｓ（Ｓは２以上の自然数）ライン同時選択駆動法により液晶パネルを駆動する液晶駆動方法が、前記液晶パネルを構成する画素の印加電圧が正極性となるように、ｎ（ｎは自然数）ライン毎に極性反転制御を行うｎライン反転駆動により前記液晶パネルを駆動する正極性駆動ステップと、前記画素の印加電圧が負極性となるように、前記ｎライン反転駆動により前記液晶パネルを駆動する負極性駆動ステップとを含み、（前記液晶パネルのデューティーの逆数×Ａ）／（ｎ／Ｓ）（Ａは、式が割り切れるようになる最小の自然数）が偶数のとき、極性反転周期の間に前記液晶パネルの各コモン電極に印加した正極性パルス数と負極正パルス数とが等しい。
【００１６】
本態様によれば、同時選択駆動法で同時選択されるライン数Ｓ、液晶パネルのデューティー、ｎライン反転駆動において極性反転させるライン数ｎの組み合わせの中で、従来採用されない組み合わせであっても、次のような効果が得られる。即ち、バイアス電位にずれがあったとしても、コモン電極に応じて実効電圧の差が生じることなく、液晶パネルにおいて濃淡の縞模様の発生を抑えることができるようになる。
【００１７】
（５）本発明の第５の態様に係る液晶駆動方法は、第１の態様乃至第４の態様のいずれかにおいて、極性反転させるライン数ｎが可変に構成される。
【００１８】
本態様によれば、液晶パネルの表示ライン数等に起因する縞模様の発生条件に応じて、極性反転させるライン数を変更できるようにしたので、液晶パネルの表示ライン数等にかかわらず表示品質を向上させることができるようになる。
【００１９】
（６）本発明の第６の態様は、液晶パネルを駆動する液晶駆動装置が、Ｓ（Ｓは２以上の自然数）ライン同時選択駆動法により前記液晶パネルを駆動する駆動部と、前記駆動部により前記液晶パネルに供給される駆動信号の極性反転制御を行う極性反転制御部とを含み、前記駆動部は、１フレーム期間を分割した第１のフィールド期間〜第Ｓのフィールド期間のうち、第１のフィールド期間〜第Ｌ（１≦Ｌ≦Ｓ−１、Ｌは自然数）のフィールド期間において、ｎ（ｎは自然数）ライン毎に極性反転制御を行うｎライン反転駆動を行い、第（Ｌ＋１）のフィールド期間〜第Ｓのフィールド期間において少なくとも１水平走査期間分のダミー期間を追加して前記ｎライン反転駆動を行う。
【００２０】
本態様においては、１フレーム期間を分割した第１のフィールド期間〜第Ｓのフィールド期間のうち、第１のフィールド期間〜第Ｌのフィールド期間において、ｎライン毎に極性反転制御を行うｎライン反転駆動を行う。そして、第（Ｌ＋１）のフィールド期間〜第Ｓのフィールド期間において少なくとも１水平走査期間分のダミー期間を追加してｎライン反転駆動を行う。これにより、極性反転周期の間で、正極性パルス数と負極正パルス数とを等しくすることができるようになる。従って、バイアス電位にずれがあったとしても、コモン電極に応じて実効電圧の差が生じることなく、液晶パネルにおいて濃淡の縞模様の発生を抑える液晶駆動装置を提供することができるようになる。
【００２１】
（７）本発明の第７の態様に係る液晶駆動装置では、第６の態様において、前記駆動部は、前記ダミー期間において前記液晶パネルのコモン電極に非選択電圧を供給し、前記液晶パネルのセグメント電極に所与のダミー電圧を供給する。
【００２２】
本態様によれば、上記の効果に加えて、ダミー期間の追加により表示に影響を与えることなく、上記の効果を得ることができる液晶駆動装置を提供することができるようになる。
【００２３】
（８）本発明の第８の態様に係る液晶駆動装置では、第５の態様又は第６の態様において、Ｌは、（Ｓ−１）であり、前記駆動部は、１水平走査期間分の前記ダミー期間を追加して前記ｎライン反転駆動を行う。
【００２４】
本態様によれば、上記の効果に加えて、ダミー期間の追加に起因するコントラストの低下を最小限に抑える液晶駆動装置を提供することができるようになる。
【００２５】
（９）本発明の第９の態様に係る液晶駆動装置は、第５の態様乃至第８の態様のいずれかにおいて、極性反転させるライン数に対応した設定情報が設定されるｎライン反転数レジスターを含み、前記駆動部は、前記ｎライン反転数レジスターに設定された設定情報に対応したライン数毎に前記ｎライン反転駆動を行う。
【００２６】
本態様によれば、液晶パネルの表示ライン数等に起因する縞模様の発生条件に応じて、極性反転させるライン数を変更できるようにしたので、液晶パネルの表示ライン数等にかかわらず表示品質を向上させる液晶駆動装置を提供することができるようになる。
【００２７】
（１０）本発明の第１０の態様は、液晶装置が、第６の態様乃至第９の態様のいずれか記載の液晶駆動装置と、前記液晶駆動装置によって駆動される液晶パネルとを含む。
【００２８】
本態様によれば、複数ラインを同時選択する同時選択駆動法でｎライン反転駆動により液晶パネルを駆動する場合にバイアス電位のずれがあっても画質の劣化を抑える液晶装置を提供することができるようになる。
【００２９】
（１１）本発明の第１１の態様は、電子機器が、第６の態様乃至第９の態様のいずれか記載の液晶駆動装置を含む。
【００３０】
本態様によれば、複数ラインを同時選択する同時選択駆動法でｎライン反転駆動により液晶パネルを駆動する場合にバイアス電位のずれがあっても画質の劣化を抑える液晶駆動装置が適用された電子機器を提供することができるようになる。
【図面の簡単な説明】
【００３１】
【図１】本発明の一実施形態に係る液晶装置の構成例のブロック図。
【図２】図２（Ａ）〜図２（Ｄ）はＭＬＳ駆動法の原理の説明図。
【図３】４ライン同時選択のＭＬＳ駆動法により液晶パネルを駆動する場合の７レベルの電圧の関係を示す図。
【図４】４ライン同時選択のＭＬＳ駆動法における液晶パネルのコモン電極の選択電圧の説明図。
【図５】ｎライン反転駆動がディセーブルに設定されたときの同時選択されるコモン電極ＣＯＭ０〜ＣＯＭ３の選択電圧を示す図。
【図６】ｎライン反転駆動がイネーブルに設定されたときの同時選択されるコモン電極ＣＯＭ０〜ＣＯＭ３の選択電圧を示す図。
【図７】本実施形態における液晶駆動装置による液晶駆動方法のフロー図。
【図８】本実施形態における液晶駆動方法の説明図。
【図９】本実施形態における液晶駆動方法の説明図。
【図１０】本実施形態における液晶駆動方法の効果の説明図。
【図１１】本実施形態における液晶駆動装置の構成例のブロック図。
【図１２】本実施形態におけるコモンアドレス及びラインアドレスの説明図。
【図１３】図１１の極性反転制御回路の構成例のブロック図。
【図１４】フィールド数カウンターの動作例のフロー図。
【図１５】コモンアドレスカウンターの動作例のフロー図。
【図１６】ラインアドレスカウンターの動作例のフロー図。
【図１７】ｎライン反転数カウンターの動作例のフロー図。
【図１８】極性レジスターの動作例のフロー図。
【図１９】極性反転制御回路の動作例のタイミング図。
【図２０】本実施形態における液晶駆動装置の駆動タイミングの一例を示す図。
【図２１】図２１（Ａ）、図２１（Ｂ）は本実施形態が適用された電子機器の構成を示す斜視図。
【発明を実施するための形態】
【００３２】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００３３】
〔液晶表示装置〕
図１に、本発明の一実施形態に係る液晶装置の構成例のブロック図を示す。図１は、液晶装置が液晶駆動装置を備える構成例を表すが、液晶駆動装置が液晶装置の外部に備えられていてもよい。
【００３４】
電気光学装置としての液晶装置１０は、液晶パネル（広義には、表示パネル、電気光学パネル）２０と、ホストプロセッサー３０と、電源回路４０とを備えている。
【００３５】
液晶パネル２０は、パッシブ型の液晶表示パネルであり、一対の透明なガラス基板の間に、透明電極で形成され互いに交差するように配置された複数のコモン電極、複数のセグメント電極、配向膜及び液晶等を封入して形成される。液晶パネル２０は、画素形成領域２２を有し、画素形成領域２２には、第１の方向に配設されたコモン電極と、第１の方向と交差する第２の方向に配設されたセグメント電極との交差位置に対応して画素が形成される。図１では、複数のコモン電極ＣＯＭ０〜ＣＯＭＱ（Ｑは自然数）のコモン電極ＣＯＭｊ（０≦ｊ≦Ｑ、ｊは整数）と複数のセグメント電極ＳＥＧ０〜ＳＥＧＲ（Ｒは自然数）のセグメント電極ＳＥＧｋ（０≦ｋ≦Ｒ、ｋは整数）とを図示している。コモン電極ＣＯＭｊ及びセグメント電極ＳＥＧｋの交差位置に対応して画素Ｐｊｋが形成される。この液晶パネル２０を構成するガラス基板には、液晶駆動装置１００がＣＯＧ（Chip On Glass）実装される。
【００３６】
液晶駆動装置１００は、コモン電極に所与の選択電圧を供給するための複数のコモン電極出力端子と、セグメント電極に画像データに対応した液晶駆動電圧を供給するための複数のセグメント電極出力端子とを有する。複数のコモン電極出力端子の各々は、対応するコモン電極に電気的に接続され、複数のセグメント電極出力端子の各々は、対応するセグメント電極に電気的に接続される。液晶駆動装置１００は、液晶パネル２０の画素形成領域２２に形成されたコモン電極ＣＯＭ０〜ＣＯＭＱ及びセグメント電極ＳＥＧ０〜ＳＥＧＲをＭＬＳ（Multi Line Selection）駆動法（同時選択駆動法）により駆動する。即ち、液晶駆動装置１００は、複数のコモン電極を同時選択し、１画面を表示するのに必要な期間としての１フレーム期間を分割した複数のフィールド期間で、複数回に亘って駆動する。液晶駆動装置１００は、フィールド期間毎に、同時選択した複数のコモン電極を選択パターン（走査パターン）に基づいて駆動すると共に、該選択パターン及び画像データに基づく所与のＭＬＳ演算結果に対応した駆動電圧を複数のセグメント電極に印加する。
【００３７】
ホストプロセッサー３０は、内蔵するメモリー又は図示しないメモリーに記憶されたプログラムを読み込んで、該プログラムに対応した処理を実行することで、液晶駆動装置１００の駆動制御を行う。このため、ホストプロセッサー３０は、液晶駆動装置１００が内蔵する設定レジスターに設定値を設定することで、液晶駆動装置１００の動作を制御することができる。また、ホストプロセッサー３０は、液晶駆動装置１００に、液晶パネル２０に表示させる画像に対応した画像データを供給する。図１において、ホストプロセッサー３０は、液晶パネル２０を構成するガラス基板上に実装されていてもよい。
【００３８】
電源回路４０は、ホストプロセッサー３０及び液晶駆動装置１００の各々に、動作電源電圧及び液晶パネル２０の駆動電源電圧、或いはこれらの電圧を生成するための基準電圧を供給する。図１において、電源回路４０は、液晶パネル２０を構成するガラス基板上に実装されていたり、液晶駆動装置１００に内蔵されていたりしてもよい。
【００３９】
〔ＭＬＳ駆動法〕
液晶駆動装置１００によるＭＬＳ駆動法は、単純な駆動法と比較して、コモン電極が選択される期間の間隔を狭めることができ、画素の透過率の低下を抑えると共に、平均の透過率を向上させることができる。また、複数のコモン電極を同時に選択することで、コモン電極に印加する駆動電圧（選択電圧）を低くすることができる。
【００４０】
図２（Ａ）〜図２（Ｄ）に、ＭＬＳ駆動法の原理の説明図を示す。図２（Ａ）〜図２（Ｄ）の各々は、コモン電極ＣＯＭ０、ＣＯＭ１とセグメント電極ＳＥＧ０とが交差する位置の画素（ドット）についてオン又はオフする例を表す。なお、図２（Ａ）〜図２（Ｄ）では２ラインのコモン電極ＣＯＭ０、ＣＯＭ１が同時選択され、２ライン同時選択のＭＬＳ駆動法の例を表す。
【００４１】
図２（Ａ）〜図２（Ｄ）において、オンとなる画素（オン画素）を「−１」、オフとなる画素（オフ画素）を「＋１」と表し、このオン又はオフを示す画像データにより指定される。また、コモン電極ＣＯＭ０、ＣＯＭ１の各々を選択するための選択パターンを「＋１」、「−１」の２値で表す。更にセグメント電極ＳＥＧ０の駆動電圧は、「ＭＶ２」、「Ｖ２」、「Ｖ１」の３値である。
【００４２】
ＭＬＳ駆動法においては、セグメント電極ＳＥＧ０の駆動電圧は、画像データと同時選択されるコモン電極ＣＯＭ０、ＣＯＭ１の選択パターンとにより決まる。ここで、画像データを画像データベクトルｄ、選択パターンを行列βとすると、セグメント電極ＳＥＧ０の駆動電圧を「ＭＶ２」、「Ｖ２」、「Ｖ１」のいずれの電圧とするかは、画像データベクトルｄと行列βとの積により決定される。画像データベクトルｄは、セグメント電極ＳＥＧ０が各コモン電極と交差する位置の画素のオン又はオフを示すデータをベクトルで表現したものである。図２（Ａ）の場合にはｄ・β＝−２となり、図２（Ｂ）の場合にはｄ・β＝＋２となり、図２（Ｃ）の場合にはｄ・β＝＋２となり、図２（Ｄ）の場合にはｄ・β＝０となる。そして画像データベクトルｄと行列βとの積が「−２」のときセグメント電極ＳＥＧ０の駆動電圧として「ＭＶ２」が選択され、「＋２」のときに「Ｖ２」が選択され、「０」のときに「Ｖ１」が選択される。
【００４３】
例えば、画像データベクトルｄと行列βとの積の演算をハードウェアで行う場合には、画像データベクトルｄの各要素データと行列βの各要素データとの不一致数を判定するようにすればよい。例えば不一致数が「２」の場合には、セグメント電極ＳＥＧ０の駆動電圧として「ＭＶ２」を選択する。また不一致数が「０」の場合には、該駆動電圧として「Ｖ２」を選択する。また不一致数が「１」の場合には、該駆動電圧として「Ｖ１」を選択する。
【００４４】
２ライン同時選択のＭＬＳ駆動法では、上述のようにしてセグメント電極ＳＥＧ０の駆動電圧を決定し、１フレーム期間内で２回のフィールド期間を設けることによって、画素のオン又はオフを制御する。フィールド期間を複数回設けているため、非フィールド期間における透過率の低下が少なくなり、液晶パネル２０における平均の透過率を向上させ、液晶パネルのコントラストを向上させることができる。
【００４５】
なお、以下で説明する本実施形態では、４ラインのコモン電極を同時に選択するＭＬＳ駆動法を採用するものとする。この場合、１フレーム期間内に４回のフィールド期間を設けることができ、液晶パネル２０のコントラストをより一層向上させることができる。この４ライン同時選択のＭＬＳ駆動法では、７レベルの電圧が用いられる。
【００４６】
図３に、４ライン同時選択のＭＬＳ駆動法により液晶パネル２０を駆動する場合の７レベルの電圧の関係を示す。
【００４７】
電圧Ｖ３、ＭＶ３は、コモン電極の選択電圧である。電圧ＶＣは、コモン電極の非選択電圧であり、セグメント電極の駆動電圧である。電圧Ｖ２、Ｖ１、ＭＶ１、ＭＶ２は、セグメント電極の駆動電圧である。そして、交差するコモン電極及びセグメント電極の電圧差に応じて、画素の透過率が変化する。
【００４８】
ここで、電圧Ｖ３とセンター電圧ＶＣとの電圧差をｖ３、電圧Ｖ２とセンター電圧ＶＣとの電圧差をｖ２、電圧Ｖ１とセンター電圧ＶＣとの電圧差をｖ１とする。このとき、センター電圧ＶＣと電圧ＭＶ３との電圧差はｖ３、センター電圧ＶＣと電圧ＭＶ２との電圧差はｖ２、センター電圧ＶＣと電圧ＭＶ１との電圧差はｖ１である。ここで、電圧Ｖ２と電圧Ｖ１との電圧差（＝電圧ＭＶ１と電圧ＭＶ２との電圧差）が、電圧Ｖ１とセンター電圧ＶＣとの電圧差（＝センター電圧ＶＣと電圧ＭＶ１との電圧差）と等しい。
【００４９】
このような７レベルの電圧のうち、電圧ＭＶ３の電位が最も低く、本実施形態では、電圧ＭＶ３として接地電圧ＶＳＳが採用される。
【００５０】
液晶駆動装置１００は、図３に示す電圧を用いて、ＭＬＳ駆動法によりコモン電極及びセグメント電極を駆動する。このとき、液晶駆動装置１００は、ｎ（ｎは１以上の整数）本のコモン電極を走査する毎に極性を反転させるｎライン極性反転制御を行うことで、液晶の劣化を防止し、画質の向上を図る。
【００５１】
図４に、４ライン同時選択のＭＬＳ駆動法における液晶パネル２０のコモン電極ＣＯＭｐ（０≦ｐ≦Ｑ、ｐは整数）〜ＣＯＭｐ＋３の選択電圧の説明図を示す。図４は、液晶駆動装置１００の内部信号である極性反転信号ＦＲにより規定される極性及びフィールド期間に応じて、コモン電極ＣＯＭｐ〜ＣＯＭｐ＋３に印加される選択電圧を表す。
【００５２】
極性反転信号ＦＲがＬレベルのとき、液晶駆動装置１００は、駆動対象の画素の印加電圧が正極性となるように、対応するコモン電極に選択電圧を供給し、且つ、対応するセグメント電極に駆動電圧を供給する。また、極性反転信号ＦＲがＨレベルのとき、液晶駆動装置１００は、駆動対象の画素の印加電圧が負極性となるように、対応するコモン電極に選択電圧を供給し、且つ、対応するセグメント電極に駆動電圧を供給する。このとき、ＭＬＳ駆動法では、同時選択されるコモン電極の各フィールド期間における走査パターンが決まる。そのため、４ライン同時選択のＭＬＳ駆動法では、コモン電極ＣＯＭｐ〜ＣＯＭｐ＋３には、フィールド期間毎に、極性に応じて、図４に示すように選択電圧Ｖ３、ＭＶ３が印加される。
【００５３】
以上のようなＭＬＳ駆動法においてｎライン反転駆動を行う場合、次のような問題がある。以下では、説明の便宜上、主に７６ラインの液晶パネル２０を駆動する例について説明する。
【００５４】
図５に、ｎライン反転駆動がディセーブルに設定されたときの同時選択されるコモン電極ＣＯＭ０〜ＣＯＭ３の選択電圧を示す。図５は、７６ラインの液晶パネルを駆動する際に、１フレーム期間のフィールド期間毎に、極性に応じてコモン電極ＣＯＭ０〜ＣＯＭ３に供給される選択電圧を表す。図５では、コモン電極ＣＯＭ０〜ＣＯＭ３を図示するが、他の同時選択されるコモン電極も同様である。
【００５５】
ｎライン反転駆動がディセーブルに設定されたとき、極性反転周期は２フレームとなる。各コモン電極には、この極性反転周期の間に電圧Ｖ３、ＭＶ３の選択パルスが供給される。電圧Ｖ３の選択パルスは正極性パルスに対応し、電圧ＭＶ３の選択パルスは負極正パルスに対応する。ここで、選択パルスの種類に着目すると、コモン電極ＣＯＭ０〜ＣＯＭ３の各々について、電圧Ｖ３の選択パルス数が「４」、電圧ＭＶ３の選択パルス数が「４」である。
【００５６】
図６に、ｎライン反転駆動がイネーブルに設定されたときの同時選択されるコモン電極ＣＯＭ０〜ＣＯＭ３の選択電圧を示す。図６は、７６ラインの液晶パネルを駆動する際に、１フレーム期間のフィールド期間毎に、極性に応じてコモン電極ＣＯＭ０〜ＣＯＭ３に供給される選択電圧を表す。ここで、ｎが「５」であり、２０（＝５×４）ライン反転駆動を行うものとする。図６では、コモン電極ＣＯＭ０〜ＣＯＭ３を図示するが、他の同時選択されるコモン電極も同様である。
【００５７】
従って、ｎライン反転駆動がイネーブルに設定されたとき、極性反転周期は５フレームとなる。ここで、選択パルスの種類に着目すると、コモン電極ＣＯＭ０、ＣＯＭ２の各々について、電圧Ｖ３の選択パルス数が「９」、電圧ＭＶ３の選択パルス数が「１１」である。また、コモン電極ＣＯＭ１、ＣＯＭ３の各々について、電圧Ｖ３の選択パルス数が「１１」、電圧ＭＶ３の選択パルス数が「９」である。即ち、ｎライン反転駆動がイネーブルに設定されると、コモン電極によって電圧Ｖ３の選択パルス数と電圧ＭＶ３の選択パルス数とが異なることになる。そのため、バイアス電位のずれがあると、コモン電極に応じて実効電圧の差が生じ、液晶パネル２０に濃淡の縞模様が発生するという問題がある。
【００５８】
〔液晶駆動装置〕
Ｓ（Ｓは２以上の自然数）ラインを同時選択するＭＬＳ駆動法でｎライン反転駆動を行う場合、次の式（１）の条件を満たすと、極性反転周期の間に、正極性パルス数と負極正パルス数とが等しくなる。式（１）では、液晶パネルのデューティーをｄｔ、自然数をｄとする。即ち、式（１）の条件を満たさない場合、バイアス電位のずれがあると、コモン電極に応じて実効電圧の差が生じ、液晶パネルに濃淡の縞模様が発生する。
（１／ｄｔ×ｄ）／（ｎ／Ｓ）＝奇数      ・・・（１）
【００５９】
これに対して、本実施形態では、式（１）の条件を満たさない場合に、バイアス電位のずれがあっても液晶パネル２０に濃淡の縞模様を発生させることなく、画質の劣化を抑える。具体的には、（液晶パネル２０のデューティーｄｔの逆数×Ａ）／（ｎ／Ｓ）が偶数のとき、極性反転周期の間に液晶パネル２０の各コモン電極に印加した正極性パルス数と負極正パルス数とを等しくする。ここで、Ａは、式の左辺が割り切れるようになる最小の自然数である。即ち、本実施形態における液晶駆動方法は、正極性駆動ステップと、負極正駆動ステップとを含む。正極性駆動ステップでは、液晶パネル２０を構成する画素の印加電圧が正極性となるようにｎライン反転駆動により液晶パネル２０を駆動する。負極正駆動ステップでは、画素の印加電圧が負極性となるように、ｎライン反転駆動により液晶パネル２０を駆動する。そして、（液晶パネル２０のデューティーの逆数×Ａ）／（ｎ／Ｓ）が偶数のとき、極性反転周期の間に液晶パネルの各コモン電極に印加した正極性パルス数と負極正パルス数とを等しくする。
【００６０】
より具体的には、Ｓ（Ｓは２以上の自然数）ライン同時選択駆動法において、１フレーム期間を分割した第１のフィールド期間〜第Ｓのフィールド期間のうち第１のフィールド期間〜第Ｌ（１≦Ｌ≦Ｓ−１、Ｌは自然数）のフィールド期間においてｎライン反転駆動を行う。また、第１のフィールド期間〜第Ｓのフィールド期間のうち第（Ｌ＋１）のフィールド期間〜第Ｓのフィールド期間において少なくとも１水平走査期間分のダミー期間を追加してｎライン反転駆動を行う。即ち、１水平走査期間のダミー期間を全フィールド期間に追加することなく、少なくとも１つのフィールド期間に少なくとも１水平走査期間分のダミー期間を含めてｎライン反転駆動を行う。これにより、たとえ４ライン同時選択のＭＬＳ駆動方法であったとしても、極性反転周期の間で、各コモン電極に供給される正極性パルス数と負極性パルス数とを等しくすることができるようになる。
【００６１】
図７に、本実施形態における液晶駆動装置１００による液晶駆動方法のフロー図を示す。
【００６２】
まず、液晶駆動装置１００は、１フレーム期間の開始を待つ（ステップＳＴ１０：Ｎ）。１フレーム期間が開始されると（ステップＳＴ１０：Ｙ）、ダミー期間を追加するフィールド期間ではないとき（ステップＳＴ１２：Ｎ）、液晶駆動装置１００は、ｎライン反転駆動で液晶パネル２０を駆動する（ステップＳＴ１４、第１の駆動ステップ）。ダミー期間を追加するフィールド期間であるとき（ステップＳＴ１２：Ｙ）、液晶駆動装置１００は、ダミー期間を含めたｎライン反転駆動で液晶パネル２０を駆動する（ステップＳＴ１６、第２の駆動ステップ）。ダミー期間を追加するフィールド期間は、予め決められていることが望ましい。
【００６３】
ステップＳＴ１６において、ダミー期間では、液晶駆動装置１００が、液晶パネル２０のコモン電極に非選択電圧（センター電圧ＶＣ）を供給し、液晶パネル２０のセグメント電極に所与のダミー電圧を供給することが望ましい。ダミー電圧として、オンレベル又はオフレベルの電圧（極性に応じて電圧Ｖ１、ＭＶ１）であることが望ましい。
【００６４】
ステップＳＴ１４又はステップＳＴ１６に続いて、次のフィールド期間があるとき（ステップＳＴ１８：Ｙ）、液晶駆動装置１００は、ステップＳＴ１２に戻り、ｎライン反転駆動を継続する。即ち、液晶駆動装置１００は、第１の駆動ステップとして、１フレーム期間を分割した第１のフィールド期間〜第Ｓのフィールド期間のうち第１のフィールド期間〜第Ｌのフィールド期間において、ｎライン反転駆動により液晶パネル２０を駆動することができる。また、液晶駆動装置１００は、第２の駆動ステップとして、第１のフィールド期間〜第Ｓのフィールド期間のうち第（Ｌ＋１）のフィールド期間〜第Ｓのフィールド期間において少なくとも１水平走査期間分のダミー期間を追加してｎライン反転駆動により液晶パネルを駆動することができる。
【００６５】
ここで、Ｌは、（Ｓ−１）であり、ステップＳＴ１６では、１水平走査期間分のダミー期間を追加することが望ましい。こうすることで、ダミー期間の追加に起因するコントラストの低下の影響を最小限に抑えることができるようになる。
【００６６】
次のフィールド期間がなく（ステップＳＴ１８：Ｎ）、次のフレーム期間があるとき（ステップＳＴ２０：Ｙ）、液晶駆動装置１００は、ステップＳＴ１０に戻って、液晶パネル２０の駆動を継続する。ステップＳＴ２０において、次のフレーム期間がないとき（ステップＳＴ２０：Ｎ）、液晶駆動装置１００は、一連の処理を終了する（エンド）。
【００６７】
図８、図９に、本実施形態における液晶駆動方法の説明図を示す。図８及び図９は、４ライン同時選択のＭＬＳ駆動法において、ｎが「２０」に設定されたときの７６ラインの液晶パネル２０を駆動する際の各フィールド期間におけるコモン電極に対応した極性を表す。図８、図９では、各フレームの最終フィールド期間に、ダミー期間が設けられるものとする。また、図８及び図９において、「Ｌ」、「Ｈ」は極性反転信号ＦＲの論理レベルを表し、「Ｌ」は正極性、「Ｈ」は負極性を表す。また、図８は１フレーム〜５フレームまでの極性を表し、図９は図８に続く６フレームから１０フレームまでを表す。
【００６８】
液晶駆動装置１００は、１フレーム目のフィールド期間「１」で正極性から開始して、２０ライン（４ライン同時選択のＭＬＳ駆動法では５ブロックに相当）毎にｎライン反転駆動を行う。１フレーム目のフィールド期間「４」まで、各々の直前のフィールド期間におけるｎライン反転駆動が継続される。そのため、例えばコモン電極ＣＯＭ６０〜ＣＯＭ７５の１６ライン（４ブロック）が負極性でフィールド期間「１」のｎライン反転駆動が終了すると、フィールド期間「２」のコモン電極ＣＯＭ０〜ＣＯＭ３の４ライン（１ブロック）はそのまま負極性で駆動される。その後、フィールド期間「２」のコモン電極ＣＯＭ４〜ＣＯＭ７から、正極性に反転されて駆動されることになる。
【００６９】
こうして、１フレーム目の最終フィールド期間であるフィールド期間「４」が終了すると、１水平走査期間分のダミー期間が追加される。そのため、フィールド期間「４」のコモン電極ＣＯＭ７２〜ＣＯＭ７５の１ブロック、ダミー期間、及び２フレーム目のフィールド期間「１」のコモン電極ＣＯＭ０〜ＣＯＭ１１の３ブロックでは、ｎライン反転駆動が負極性で行われる。そして、フィールド期間「１」のコモン電極ＣＯＭ１２〜ＣＯＭ３１の５ブロックでは、ｎライン反転駆動が正極性で行われる。
【００７０】
２フレーム目の最終フィールド期間であるフィールド期間「４」が終了すると、再び１水平走査期間分のダミー期間が追加される。このとき、フィールド期間「４」のコモン電極ＣＯＭ６４〜ＣＯＭ７５の３ブロック、ダミー期間、及び３フレーム目のフィールド期間「１」のコモン電極ＣＯＭ０〜ＣＯＭ３の１ブロックで、ｎライン反転駆動が正極性で行われる。
【００７１】
同様に、６フレーム目からは１フレーム目とは反対の極性でｎライン反転駆動が行われる。従って、１０フレーム目からは１フレーム目と同じ極性でｎライン反転駆動が行われ、極性反転周期は１０フレームとなる。
【００７２】
図１０に、本実施形態における液晶駆動方法の効果の説明図を示す。図１０は、ｎが「２０」に設定されたときの７６ラインの液晶パネルを駆動する際に、１フレーム期間のフィールド期間毎に、極性に応じてコモン電極ＣＯＭ０〜ＣＯＭ３に供給される選択電圧を表す。即ち、図８及び図９で説明した液晶駆動方法においてコモン電極ＣＯＭ０〜ＣＯＭ３に出力される選択パルスを表す。
【００７３】
上述のように、極性反転周期は１０フレームとなる。ここで、選択パルスの種類に着目すると、コモン電極ＣＯＭ０〜ＣＯＭ３の各々について、電圧Ｖ３の選択パルス（正極性パルス）数が「２０」、電圧ＭＶ３の選択パルス数が「２０」である。なお、図１０では、コモン電極ＣＯＭ０〜ＣＯＭ３の選択パルスについて図示したが、他のコモン電極（例えばコモン電極ＣＯＭ４〜ＣＯＭ７）についても同様である。従って、本実施形態によれば、コモン電極に応じた選択パルスの偏りがなく、バイアス電位のずれがあったとしても、コモン電極に応じて実効電圧の差が生じることなく、液晶パネル２０に濃淡の縞模様が発生しない。
【００７４】
以上のような液晶駆動方法を実現する液晶駆動装置１００は、次のような構成を有することができる。
【００７５】
図１１に、本実施形態における液晶駆動装置１００の構成例のブロック図を示す。図１１では、画素形成領域２２をあわせて図示している。
図１２に、本実施形態におけるコモンアドレス及びラインアドレスの説明図を示す。
【００７６】
液晶駆動装置１００は、ホストプロセッサー用インターフェイス１１０と、発振回路１１２と、制御回路１１４と、コモンアドレスデコーダー１１６と、コモン出力演算回路１１８と、コモンドライバー１２０と、ページアドレス制御回路１２２とを備えている。また、液晶駆動装置１００は、カラムアドレス制御回路１２４と、ラインアドレス制御回路１２６と、画像データＲＡＭ１２８と、画像データラッチ回路１３０と、ＭＬＳデコーダー１３２と、セグメントドライバー１３４とを備えている。画像データＲＡＭ１２８は、フレームメモリー（画像データメモリー）として機能する。制御回路１１４は、極性反転制御回路（極性反転制御部）２００を有する。本実施形態における駆動部は、コモンドライバー１２０及びセグメントドライバー１３４を含んで構成され、コモンアドレスデコーダー１１６、コモン出力演算回路１１８、及びＭＬＳデコーダー１３２の少なくとも１つを更に含んでもよい。
【００７７】
ホストプロセッサー用インターフェイス１１０は、液晶駆動装置１００が有する入力端子又は入出力端子を介してホストプロセッサー３０から入力される入力信号の入力インターフェイス処理を行う。またホストプロセッサー用インターフェイス１１０は、液晶駆動装置１００が有する出力端子又は入出力端子を介してホストプロセッサー３０に出力する出力信号の出力インターフェイス処理を行う。
【００７８】
発振回路１１２は、液晶駆動装置１００が生成する表示タイミング信号の基準となる発振クロックＯＳＣを発振動作により生成する。例えば、制御回路１１４は、発振クロックＯＳＣに基づいて、複数種類の表示タイミング信号を生成する。この制御回路１１４は、コモンアドレスデコーダー１１６等の液晶駆動装置１００の各部を制御する制御信号を生成する。極性反転制御回路２００は、コモンドライバー１２０及びセグメントドライバー１３４等が液晶パネル２０（具体的には画素形成領域２２）に供給する駆動信号の極性反転制御を行う。駆動信号としては、コモンドライバー１２０がコモン電極に出力する選択パルス、セグメントドライバー１３４がセグメント電極に出力する液晶駆動電圧がある。
【００７９】
コモンアドレスデコーダー１１６は、制御回路１１４において生成されＭＬＳ駆動において同時選択される複数のコモン電極に対応したコモンアドレスをデコードする。このデコード結果はコモンドライバー１２０に出力される。コモンアドレスは、同時選択される複数のコモン電極毎に割り当てられ、ＭＬＳ駆動を行う際にコモンアドレスを指定することで、対応するコモン電極が選択される。
【００８０】
コモン出力演算回路１１８は、制御回路１１４において生成される極性反転信号ＦＲ、ＭＬＳ駆動パターンを識別するフィールド識別信号Ｆ１、Ｆ２に基づいて、コモン出力の出力レベルを制御する。
【００８１】
コモンドライバー１２０は、コモンアドレスデコーダー１１６のデコード結果に基づいて、コモン出力の選択／非選択を制御し、選択されたコモン出力として、コモン出力演算回路１１８で生成された出力レベルを出力する。
【００８２】
ページアドレス制御回路１２２は、ホストプロセッサー用インターフェイス１１０を介してホストプロセッサー３０から入力される画像データを画像データＲＡＭ１２８にアクセスするためのページアドレスを制御する。ページアドレスは、ホストプロセッサー３０から入力される画像データのバス幅をアクセス単位として定義される。
【００８３】
カラムアドレス制御回路１２４は、ホストプロセッサー用インターフェイス１１０を介してホストプロセッサー３０から入力される画像データを画像データＲＡＭ１２８にアクセスするためのカラムアドレスを制御する。カラムアドレスは、画素形成領域２２のセグメント電極に対応して定義される。
【００８４】
ラインアドレス制御回路１２６は、画像データＲＡＭ１２８に保存された画像データのうち読み出しラインを特定するラインアドレスを制御する。ラインアドレスは、画素形成領域２２のコモン電極に対応して定義される。本実施形態におけるコモンアドレス及びラインアドレスは、図１２に示すように定義される。例えば、制御回路１１４がコモンアドレス「０」を出力したとき、コモン電極ＣＯＭ０〜ＣＯＭ３が同時選択される。このとき、画像データＲＡＭ１２８に記憶される画像データのうち、ラインアドレス０〜３に対応する画像データが読み出される。同様に、制御回路１１４がコモンアドレス「１」を出力したとき、コモン電極ＣＯＭ４〜ＣＯＭ７が同時選択される。このとき、画像データＲＡＭ１２８に記憶される画像データのうち、ラインアドレス４〜７に対応する画像データが読み出される。このように、コモンアドレスにより、同時選択される４ラインのコモン電極を１ブロックとするブロック単位で指定でき、ラインアドレスも一意に決まる。
【００８５】
図１１において、画像データＲＡＭ１２８は、画素形成領域２２の画素の並びに対応して、各画素の画像データが記憶される記憶領域を有する。各記憶領域は、ページアドレス及びカラムアドレスにより特定される。これにより、画像データＲＡＭ１２８には、ページアドレス及びカラムアドレスにより特定される領域に画像データが書き込まれる。一方、画像データＲＡＭ１２８からは１ライン単位で画像データが読み出される。
【００８６】
画像データラッチ回路１３０は、画像データＲＡＭ１２８から１ラインずつ読み出された画像データを４ライン分ラッチする。
【００８７】
ＭＬＳデコーダー１３２は、画像データと、制御回路１１４において生成されＭＬＳ駆動を行うための表示タイミング信号とをデコードする。より具体的には、ＭＬＳデコーダー１３２は、画像データラッチ回路１３０によってラッチされた画像データと、制御回路１１４によって生成される極性反転信号ＦＲ、フィールド識別信号Ｆ１、Ｆ２とに基づいて、セグメント出力の出力レベルを制御する。このＭＬＳデコーダー１３２のデコード結果は、セグメントドライバー１３４に出力される。
【００８８】
セグメントドライバー１３４は、ＭＬＳデコーダー１３２のデコード結果に基づいて、セグメント電極に、ＭＬＳデコーダー１３２でデコードされた出力レベルを出力する。なお、セグメントドライバー１３４には、制御回路１１４において生成された表示オフ信号ＸＤＯＦにより、ＭＬＳデコーダー１３２のデコード結果にかかわらずセグメント電極に所与の出力レベルを出力して表示をオフにする制御を行うことができる。本実施形態では、表示オフ信号ＸＤＯＦにより、コモン電極と同電位となるような出力レベルをセグメント電極に出力することで、表示をオフする。
【００８９】
ＭＬＳ駆動法において１フレーム期間内に設けられる各フィールド期間は、液晶駆動装置１００においてフィールド識別信号Ｆ１、Ｆ２により特定される。液晶駆動装置１００は、２ビットのフィールド識別信号Ｆ１、Ｆ２で表される４状態に対応したフィールド期間毎に、各コモン電極に電圧Ｖ３又は電圧ＭＶ３を出力する。各フィールド期間における各コモン電極への出力パターンは、選択パターンとして直交関数系により定義される。液晶駆動装置１００は、予め決められた直交関数系により定義される選択パターンに従って、３種類の駆動電圧Ｖ３、ＶＣ、ＭＶ３のいずれかを適宜選択し、同時選択されるコモン電極に各々印加するようになっている。
【００９０】
各フィールド期間は、同時選択される複数のコモン電極毎に割り当てられる複数のサブ選択期間に分割される。フィールド期間「１」を分割した複数のサブ選択期間のうち、同時選択されるコモン電極ＣＯＭ０〜ＣＯＭ３が選択されるサブ選択期間では、次のような動作が行われる。液晶駆動装置１００は、電圧（Ｖ２、Ｖ１、ＶＣ、ＭＶ１、ＭＶ２）のいずれかを選択し、セグメント電極ＳＥＧ０に選択した電圧を印加する。このとき、液晶駆動装置１００は、セグメント電極ＳＥＧ０と同時選択されるコモン電極ＣＯＭ０〜ＣＯＭ３の各々との交差位置に対応した各ドットの表示パターンと選択パターンとの極性の不一致数に応じて電圧を選択する。同様に、他のセグメント電極に対して、選択した電圧を印加する。
【００９１】
次に、フィールド期間「１」を分割した複数のサブ選択期間のうち、次に同時選択されるコモン電極が選択されるサブ選択期間において、各セグメント電極の列の不一致数を決定し、得られた電圧のデータを印加する。こうしてすべてのコモン電極について、以上の手順を繰り返すと、フィールド期間「１」における動作が終了する。同様にフィールド期間「２」以降についても、すべてのコモン電極について上記の手順を繰り返すと１つのフレーム期間が終わり、これにより１つの画面の表示が行われる。
【００９２】
このような構成の液晶駆動装置１００では、コモンドライバー１２０は、同時選択される複数のコモン電極を１ブロックとするブロック単位に複数フィールドに亘って各フィールドに対応した選択パターンでコモン電極を走査する。また、セグメントドライバー１３４は、同時選択される複数のコモン電極に対応した画像データ及び上記の選択パターンに対応した駆動電圧でセグメント電極を駆動する。この駆動電圧は、画像データ及び表示タイミング信号に基づいてデコードされた結果により得られる。
【００９３】
図１３に、図１１の極性反転制御回路２００の構成例のブロック図を示す。
【００９４】
極性反転制御回路２００は、フィールド数カウンター２１０と、コモンアドレスカウンター２２０と、ラインアドレスカウンター２３０とを備えている。また、極性反転制御回路２００は、ｎライン反転数レジスター２４０と、ｎライン反転数カウンター２５０と、極性レジスター２６０とを備えている。
【００９５】
フィールド数カウンター２１０は、１フレーム期間を分割することにより得られるフィールド期間数をカウントする。コモンアドレスカウンター２２０は、同時選択される４ラインのコモン電極を特定するコモンアドレスに対応するコモンアドレスカウント値をカウントし、コモンアドレスカウント値に対応したコモンアドレスを出力する。また、ラインアドレスカウンター２３０は、同時選択される各コモン電極に対応したラインアドレスに応じたラインアドレスカウント値をカウントし、ラインアドレスカウント値に対応したラインアドレスを出力する。
【００９６】
ｎライン反転数レジスター２４０には、ホストプロセッサー３０により、極性反転させるライン数ｎに対応した設定情報が設定される。即ち、ｎライン反転駆動において極性反転させるライン数ｎが可変に構成される。ｎライン反転数カウンター２５０は、ｎライン反転駆動により極性を反転させるライン数をカウントする。極性レジスター２６０は、極性反転制御回路２００を構成する各部により生成されるレジスター値を保持し、該レジスター値に対応した極性反転信号ＦＲを出力する。
【００９７】
以下、極性反転制御回路２００を構成する各部の動作例について説明する。なお、以下では、極性反転制御回路２００が、４ライン同時選択のＭＬＳ駆動法でｎライン反転駆動における極性反転制御を行う例を説明する。
【００９８】
図１４に、フィールド数カウンター２１０の動作例のフロー図を示す。
フィールド数カウンター２１０には、垂直同期信号ＶＳＹＮＣと、フィールド信号ＦＩＥＬＤとが入力される。フィールド期間の開始タイミングで、フィールド信号ＦＩＥＬＤが「１」に設定される。図１４では、フィールド数カウンター２１０のカウント値をフィールド数カウント値と表記している。
【００９９】
垂直同期信号ＶＳＹＮＣが「１」になると（ステップＳＴ３０：Ｙ）、フィールド数カウンター２１０は、カウント値を「０」に初期化し（ステップＳＴ３２）、ステップＳＴ３０に戻る（リターン）。垂直同期信号ＶＳＹＮＣが「０」で（ステップＳＴ３０：Ｎ）、フィールド信号ＦＩＥＬＤが「１」になると（ステップＳＴ３４：Ｙ）、フィールド数カウンター２１０は、カウント値をインクリメントする（ステップＳＴ３６）。その後、ステップＳＴ３０に戻る（リターン）。
【０１００】
ステップＳＴ３４においてフィールド信号ＦＩＥＬＤが「０」のとき（ステップＳＴ３４：Ｎ）、フィールド数カウンター２１０は、カウント値を更新することなく（ステップＳＴ３８）、ステップＳＴ３０に戻る（リターン）。
【０１０１】
以上のように、フィールド数カウンター２１０は、垂直走査期間毎に初期化されるカウント値をフィールド信号ＦＩＥＬＤに同期してインクリメントすることができる。フィールド数カウンター２１０のカウント値「０」がフィールド期間「１」に対応し、カウント値「１」がフィールド期間「２」に対応し、カウント値「２」がフィールド期間「３」に対応し、カウント値「３」がフィールド期間「４」に対応する。
【０１０２】
図１５に、コモンアドレスカウンター２２０の動作例のフロー図を示す。
コモンアドレスカウンター２２０には、フィールド数カウンター２１０のカウント値と、垂直同期信号ＶＳＹＮＣと、水平同期信号ＨＳＹＮＣと、フィールド信号ＦＩＥＬＤとが入力される。図１５においても、図１４と同様に、フィールド数カウンター２１０のカウント値をフィールド数カウント値と表記している。
【０１０３】
垂直同期信号ＶＳＹＮＣが「１」又はフィールド信号ＦＩＥＬＤが「１」のとき（ステップＳＴ５０：Ｙ）、コモンアドレスカウンター２２０は、コモンアドレスをスタートアドレス「０」に設定し（ステップＳＴ５２）、ステップＳＴ５０に戻る（リターン）。垂直同期信号ＶＳＹＮＣが「１」又はフィールド信号ＦＩＥＬＤが「１」ではないとき（ステップＳＴ５０：Ｎ）、コモンアドレスカウンター２２０は、水平同期信号ＨＳＹＮＣに基づきコモンアドレスに対応したカウント値の更新判定を行う（ステップＳＴ５４）。
【０１０４】
水平同期信号ＨＳＹＮＣが「１」のとき（ステップＳＴ５４：Ｙ）、コモンアドレスカウンター２２０は、フィールド数カウンター２１０のカウント値が「３」で、且つ、コモンアドレスが表示ライン数に対応するコモンアドレスのエンドアドレスであるか否かを判定する（ステップＳＴ５６）。フィールド数カウンター２１０のカウント値が「３」で、且つ、コモンアドレスがエンドアドレスであると判定されたとき（ステップＳＴ５６：Ｙ）、コモンアドレスカウンター２２０は、コモンアドレスにダミーコモンアドレスを設定する（ステップＳＴ５８）。その後、ステップＳＴ５０に戻る（リターン）。ここで、ダミーコモンアドレスは、コモンアドレスデコーダー１１６がデコードできないアドレスであり、実在しないコモンアドレスが採用される。コモンアドレスデコーダー１１６は、ダミーコモンアドレスが与えられたときに、すべてのコモン電極が非選択電圧である電圧ＶＣを出力するようにデコードすることで、ダミー期間が挿入される。
【０１０５】
フィールド数カウンター２１０のカウント値が「３」で、且つ、コモンアドレスが所与のエンドアドレスであると判定されないとき（ステップＳＴ５６：Ｎ）、コモンアドレスカウンター２２０は、コモンアドレスをインクリメントする（ステップＳＴ６０）。その後、ステップＳＴ５０に戻る（リターン）。具体的には、コモンアドレスカウンター２２０は、コモンアドレスに対応するカウント値をインクリメントする。
【０１０６】
ステップＳＴ５４において水平同期信号ＨＳＹＮＣが「１」ではないとき（ステップＳＴ５４：Ｎ）、コモンアドレスカウンター２２０は、コモンアドレスに対応したカウント値を更新することなく（ステップＳＴ６２）、ステップＳＴ５０に戻る（リターン）。
【０１０７】
以上のようにコモンアドレスカウンター２２０は、コモンアドレスに対応したカウント値を更新しながら、ダミー期間に対応したダミーコモンアドレスを有するコモンアドレスを生成することができる。このようなコモンアドレスを受けたコモンドライバー（コモン電極駆動部）１２０は、画素形成領域２２のコモン電極の走査期間にダミー期間を挿入しながら、コモン電極を走査することができる。
【０１０８】
図１６に、ラインアドレスカウンター２３０の動作例のフロー図を示す。
ラインアドレスカウンター２３０には、フィールド数カウンター２１０のカウント値と、垂直同期信号ＶＳＹＮＣと、水平同期信号ＨＳＹＮＣと、フィールド信号ＦＩＥＬＤとが入力される。図１６においても、図１４と同様に、フィールド数カウンター２１０のカウント値をフィールド数カウント値と表記している。
【０１０９】
垂直同期信号ＶＳＹＮＣが「１」又はフィールド信号ＦＩＥＬＤが「１」のとき（ステップＳＴ７０：Ｙ）、ラインアドレスカウンター２３０は、ラインアドレスをスタートアドレス「０」に設定し（ステップＳＴ７２）、ステップＳＴ７０に戻る（リターン）。垂直同期信号ＶＳＹＮＣが「１」又はフィールド信号ＦＩＥＬＤが「１」ではないとき（ステップＳＴ７０：Ｎ）、ラインアドレスカウンター２３０は、水平同期信号ＨＳＹＮＣに基づきラインアドレスに対応したカウント値の更新判定を行う（ステップＳＴ７４）。
【０１１０】
水平同期信号ＨＳＹＮＣが「１」のとき（ステップＳＴ７４：Ｙ）、ラインアドレスカウンター２３０は、フィールド数カウンター２１０のカウント値が「３」で、且つ、ラインアドレスが液晶パネル２０に対応するラインアドレスのエンドアドレスであるか否かを判定する（ステップＳＴ７６）。フィールド数カウンター２１０のカウント値が「３」で、且つ、ラインアドレスがエンドアドレスであると判定されたとき（ステップＳＴ７６：Ｙ）、ラインアドレスカウンター２３０は、ラインアドレスにダミーラインアドレスを設定する（ステップＳＴ７８）。その後、ステップＳＴ７０に戻る（リターン）。ここで、ダミーラインアドレスは、実在しないラインアドレスが採用され、ダミー期間においてダミーラインアドレスに対応した画像データが用いられる。これにより、該画像データに対応したダミー電圧をセグメント電極に供給することができる。なお、ダミーラインアドレスは、任意のアドレスでもよく、ダミー期間においてダミーラインアドレスにかかわらずダミー電圧として所与のオン電圧やオフ電圧をセグメント電極に供給するようにしてもよい。
【０１１１】
フィールド数カウンター２１０のカウント値が「３」で、且つ、ラインアドレスが所与のエンドアドレスであると判定されないとき（ステップＳＴ７６：Ｎ）、ラインアドレスカウンター２３０は、ラインアドレスをインクリメントする（ステップＳＴ８０）。その後、ステップＳＴ７０に戻る（リターン）。具体的には、ラインアドレスカウンター２３０は、ラインアドレスに対応するカウント値をインクリメントする。
【０１１２】
ステップＳＴ７４において水平同期信号ＨＳＹＮＣが「１」ではないとき（ステップＳＴ７４：Ｎ）、ラインアドレスカウンター２３０は、ラインアドレスがダミーラインアドレスであるか否かを判定する（ステップＳＴ８２）。ラインアドレスがダミーラインアドレスではないとき（ステップＳＴ８２：Ｎ）、ラインアドレスカウンター２３０は、ラインアドレスをインクリメントし（ステップＳＴ８０）、ステップＳＴ７０に戻る（リターン）。ラインアドレスがダミーラインアドレスであるとき（ステップＳＴ８２：Ｙ）、ラインアドレスカウンター２３０は、ラインアドレスに対応したカウント値を更新することなく（ステップＳＴ８４）、ステップＳＴ７０に戻る（リターン）。
【０１１３】
以上のようにラインアドレスカウンター２３０は、ラインアドレスに対応したカウント値を更新しながら、ダミー期間に対応したダミーラインアドレスを含むラインアドレスを生成することができる。このようなラインアドレスを用いて読み出された画像データに基づいてセグメントドライバー（セグメント電極駆動部）１３４が、画素形成領域２２のセグメント電極を駆動する。
【０１１４】
図１７に、ｎライン反転数カウンター２５０の動作例のフロー図を示す。
ｎライン反転数カウンター２５０には、水平同期信号ＨＳＹＮＣ、ｎライン反転数レジスター２４０のレジスター値が入力される。図１７では、ｎライン反転数カウンター２５０のカウント値をｎライン反転数カウント値と表記している。
【０１１５】
水平同期信号ＨＳＹＮＣが「１」のとき（ステップＳＴ９０：Ｙ）、ｎライン反転数カウンター２５０は、カウント値が（極性反転ライン数／４−１）であるか否かを判定する（ステップＳＴ９２）。ステップＳＴ９２における極性反転ライン数は、ｎライン反転数レジスター２４０のレジスター値により設定される。カウント値が（極性反転ライン数／４−１）であると判定されたとき（ステップＳＴ９２：Ｙ）、ｎライン反転数カウンター２５０は、カウント値を「０」に初期化し（ステップＳＴ９４）、ステップＳＴ９０に戻る（リターン）。カウント値が（極性反転ライン数／４−１）ではないと判定されたとき（ステップＳＴ９２：Ｎ）、ｎライン反転数カウンター２５０は、カウント値をインクリメントし（ステップＳＴ９６）、ステップＳＴ９０に戻る（リターン）。
【０１１６】
ステップＳＴ９０において、水平同期信号ＨＳＹＮＣが「１」ではないとき（ステップＳＴ９０：Ｎ）、ｎライン反転数カウンター２５０は、カウント値を更新することなく（ステップＳＴ９８）、ステップＳＴ９０に戻る（リターン）。
【０１１７】
以上のように、ｎライン反転数カウンター２５０は、ｎライン反転数レジスター２４０に設定された極性反転ライン数毎に、ｎライン反転駆動のためのライン数をカウントすることができる。
【０１１８】
図１８に、極性レジスター２６０の動作例のフロー図を示す。
極性レジスター２６０には、水平同期信号ＨＳＹＮＣ、ｎライン反転数カウンター２５０のカウント値が入力される。図１８では、ｎライン反転数カウンター２５０のカウント値をｎライン反転数カウント値、極性レジスター２６０のレジスター値を極性レジスター値と表記している。
【０１１９】
水平同期信号ＨＳＹＮＣが「１」のとき（ステップＳＴ１００：Ｙ）、極性レジスター２６０は、ｎライン反転数カウンター２５０のカウント値が（極性反転ライン数／４−１）であるか否かを判定する（ステップＳＴ１０２）。このカウント値が（極性反転ライン数／４−１）であると判定されたとき（ステップＳＴ１０２：Ｙ）、極性レジスター２６０は、極性レジスター２６０のレジスター値を反転後の論理レベルの極性反転信号ＦＲを出力する（ステップＳＴ１０４）。ステップＳＴ１０４では、極性レジスター２６０のレジスター値を反転させた値が、再度、極性レジスター２６に設定される。その後、ステップＳＴ１００に戻る（リターン）。
【０１２０】
カウント値が（極性反転ライン数／４−１）ではないと判定されたとき（ステップＳＴ１０２：Ｎ）、又はステップＳＴ１００において水平同期信号ＨＳＹＮＣが「１」ではないとき（ステップＳＴ１００：Ｎ）、極性レジスター２６０は、極性レジスター２６０のレジスター値に対応した論理レベルの極性反転信号ＦＲを出力する（ステップＳＴ１０６）。その後、ステップＳＴ１００に戻る（リターン）。
【０１２１】
以上のように、極性レジスター２６０は、極性反転させるライン数ｎに応じて、極性反転信号ＦＲを出力することができる。
【０１２２】
図１９に、極性反転制御回路２００の動作例のタイミング図を示す。図１９では、表示ライン数が「１６」、ｎが「１２」（＝３ブロック）のときのタイミング例を表す。
【０１２３】
垂直同期信号ＶＳＹＮＣが「１」になると、１垂直走査期間を分割した各フィールド期間が開始される。各フィールド期間では、水平同期信号ＨＳＹＮＣが「１」となるたびに１水平走査期間が開始される。コモンアドレスカウンター２２０のカウント値は、１水平走査期間毎に更新される。ここで、１フレームの最終フィールド期間であるフィールド期間「４」になると、コモンアドレスカウンター２２０のカウント値「３」で、コモンアドレスがエンドアドレスとなり、１水平走査期間分のダミー期間が挿入される。ダミー期間では、ラインアドレスがダミーラインアドレスに設定される。
【０１２４】
ダミー期間が終了すると、次のフレームのフィールド期間「１」が開始される。このとき、コモンアドレスカウンター２２０のカウント値及びラインアドレスカウンター２３０のカウント値が初期化される。
【０１２５】
以上のように、極性反転制御回路２００は、ライン数ｎに応じて論理レベルの反転が繰り返される極性反転信号ＦＲを出力する一方で、ダミー期間を挿入することができる。これにより、極性反転制御回路２００は、コモン電極及びセグメント電極の間の電圧の極性を反転させる制御を行う。
【０１２６】
図２０に、本実施形態における液晶駆動装置１００の駆動タイミングの一例を示す。図２０では、図１９と同様の条件におけるコモン電極の波形及びセグメント電極の波形を表す。セグメント電極の波形は、全点灯オン時の波形である。またダミー期間では、セグメント電極ＳＥＧｋに、全点灯オンの駆動電圧が供給されるものとする。
【０１２７】
図２０に示すように、４ラインのコモン電極が同時選択され、選択パターンに応じた選択電圧が供給される。１フレーム目のフィールド期間「４」では、ダミー期間が挿入される。ダミー期間では、上述のようにコモンアドレスカウンター２２０は、ダミーコモンアドレスをコモンアドレスに設定し、全コモン電極に非選択電圧であるセンター電圧ＶＣを供給する。また、ラインアドレスカウンター２３０は、ダミー期間では、例えばオン電圧（広義にはダミー電圧）で各セグメント電極を駆動する。即ち、液晶駆動装置１００の駆動部は、ダミー期間において液晶パネルのコモン電極に非選択電圧を供給し、液晶パネルのセグメント電極に所与のダミー電圧を供給する。
【０１２８】
ダミー期間が終了すると、次のフレームのフィールド期間「１」が開始される。このとき、コモン電極及びセグメント電極は、４ライン同時選択のＭＬＳ駆動法でｎライン反転駆動が引き続き行われる。
【０１２９】
以上説明したように、本実施形態においては、１フレーム期間を分割した第１のフィールド期間〜第Ｓのフィールド期間のうち、第１のフィールド期間〜第Ｌのフィールド期間において、ｎライン毎に極性反転制御を行うｎライン反転駆動を行う。そして、第（Ｌ＋１）のフィールド期間〜第Ｓのフィールド期間において少なくとも１水平走査期間分のダミー期間を追加してｎライン反転駆動を行う。これにより、極性反転周期の間で、正極性パルス数と負極正パルス数とを等しくすることができ、バイアス電位にずれがあったとしても、コモン電極に応じて実効電圧の差が生じることなく、液晶パネル２０において濃淡の縞模様の発生を抑えることができるようになる。
【０１３０】
このとき、図２０に示したように、Ｌは、（Ｓ−１）であり、１水平走査期間分のダミー期間を追加してｎライン反転駆動を行うことが望ましい。こうすることで、コントラストの低下を最小限に抑えることができるようになる。
【０１３１】
〔電子機器〕
上記の実施形態における液晶駆動装置又は該液晶駆動装置が適用された液晶パネル２０や液晶装置１０は、次のような電子機器に適用できる。
【０１３２】
図２１（Ａ）、図２１（Ｂ）に、本実施形態が適用された電子機器の構成の斜視図を示す。図２１（Ａ）は、モバイル型のパーソナルコンピューターの構成の斜視図を表す。図２１（Ｂ）は、携帯電話機の構成の斜視図を表す。
【０１３３】
図２１（Ａ）に示すパーソナルコンピューター８００は、本体部８１０と、表示部８２０とを含む。表示部８２０として、上記の実施形態における液晶パネル２０又は液晶装置１０が適用される。本体部８１０は、ホストプロセッサーを含み、この本体部８１０にはキーボード８３０が設けられる。即ち、パーソナルコンピューター８００は、少なくとも上記の実施形態における液晶駆動装置１００を含んで構成される。キーボード８３０を介した操作情報がホストプロセッサーによって解析され、その操作情報に応じて表示部８２０に画像が表示される。
【０１３４】
図２１（Ｂ）に示す携帯電話機９００は、本体部９１０と、表示部９２０とを含む。表示部９２０として、上記の実施形態における液晶パネル２０又は液晶装置１０が適用される。本体部９１０は、ホストプロセッサーを含み、この本体部９１０にはキーボード９３０が設けられる。即ち、携帯電話機９００は、上記の実施形態における液晶駆動装置１００を含んで構成される。キーボード９３０を介した操作情報がホストプロセッサーによって解析され、その操作情報に応じて表示部９２０に画像が表示される。
【０１３５】
なお、上記の実施形態又が適用された電子機器として、図２１（Ａ）、図２１（Ｂ）に示すものに限定されるものではない。例えば、情報携帯端末（ＰＤＡ：Personal Digital Assistants）、デジタルスチルカメラ、テレビ、ビデオカメラ、カーナビゲーション装置、ページャー、電子手帳、電子ペーパー、電卓、ワードプロセッサー、ワークステーション、テレビ電話、ＰＯＳ（Point of sale system）端末、プリンター、スキャナー、複写機、ビデオプレーヤー、タッチパネルを備えた機器等が挙げられる。
【０１３６】
以上、本発明に係る液晶駆動方法、液晶駆動装置、液晶装置、及び電子機器等を上記の実施形態に基づいて説明したが、本発明は上記の実施形態に限定されるものではない。例えば、その要旨を逸脱しない範囲において種々の態様において実施することが可能であり、次のような変形も可能である。
【０１３７】
（１）上記の実施形態では、液晶駆動装置がＭＬＳ駆動法により駆動する例を説明したが、本発明はこれに限定されるものではない。
【０１３８】
（２）上記の実施形態では、４ラインを同時選択するＭＬＳ駆動法を例に説明したが、同時選択ライン数に本発明が限定されるものではない。また、上記の実施形態において説明した液晶パネルの表示ライン数、ｎライン反転駆動において極性反転させるライン数ｎに、本発明は限定されるものではない。更に、上記の実施形態において説明したコモン電極の選択パターンに、本発明が限定されるものではない。
【０１３９】
（３）上記の実施形態において、極性反転制御回路２００が図１３の構成を有するものとして説明したが、本発明は極性反転制御回路２００の構成に限定されるものではない。
【０１４０】
（４）上記の実施形態では、ラインアドレスカウンター２３０が、ダミーラインアドレスを生成するものとして説明したが、本発明はこれに限定されるものではない。ラインアドレスカウンター２３０が任意のラインアドレスを生成し、ダミー期間において、例えば画像データラッチ回路１３０のラッチ機能をディセーブルにするようにしてもよい。
【０１４１】
（５）上記の実施形態において、液晶駆動方法、液晶駆動装置、液晶装置、及び電子機器等として説明したが、本発明はこれに限定されるものではなく、例えば本発明に係る液晶駆動方法により実現される液晶パネルの画像表示方法等であってもよい。
【符号の説明】
【０１４２】
１０…液晶装置、  ２０…液晶パネル、  ２２…画素形成領域、
３０…ホストプロセッサー、  ４０…電源回路、  １００…液晶駆動装置、
１１０…ホストプロセッサー用インターフェイス、  １１２…発振回路、
１１４…制御回路、  １１６…コモンアドレスデコーダー、
１１８…コモン出力演算回路、  １２０…コモンドライバー、
１２２…ページアドレス制御回路、  １２４…カラムアドレス制御回路、
１２６…ラインアドレス制御回路、  １２８…画像データＲＡＭ、
１３０…画像データラッチ回路、  １３２…ＭＬＳデコーダー、
１３４…セグメントドライバー、  ２００…極性反転制御回路、
２１０…フィールド数カウンター、  ２２０…コモンアドレスカウンター、
２３０…ラインアドレスカウンター、  ２４０…ｎライン反転数レジスター、
２５０…ｎライン反転数カウンター、  ２６０…極性レジスター、
８００…パーソナルコンピューター、  ８１０，９１０…本体部、
８２０，９２０…表示部、  ８３０，９３０…キーボード、  ９００…携帯電話機、
ＣＯＭ０〜ＣＯＭＱ…コモン電極、  ＦＩＥＬＤ…フィールド信号、
ＦＲ…極性反転信号、  ＨＳＹＮＣ…水平同期信号、
ＳＥＧ０〜ＳＥＧＲ…セグメント電極、  ＶＳＹＮＣ…垂直同期信号
【図１】
0005849401.tif 000002
【図２】
0005849401.tif 000003
【図３】
0005849401.tif 000004
【図４】
0005849401.tif 000005
【図５】
0005849401.tif 000006
【図６】
0005849401.tif 000007
【図７】
0005849401.tif 000008
【図８】
0005849401.tif 000009
【図９】
0005849401.tif 000010
【図１０】
0005849401.tif 000011
【図１１】
0005849401.tif 000012
【図１２】
0005849401.tif 000013
【図１３】
0005849401.tif 000014
【図１４】
0005849401.tif 000015
【図１５】
0005849401.tif 000016
【図１６】
0005849401.tif 000017
【図１７】
0005849401.tif 000018
【図１８】
0005849401.tif 000019
【図１９】
0005849401.tif 000020
【図２０】
0005849401.tif 000021
【図２１】
0005849401.tif 000022